【手続補正書】
【提出日】平成18年4月20日(2006.4.20)
【手続補正１】
【補正対象書類名】明細書
【補正対象項目名】発明の名称
【補正方法】変更
【補正の内容】
【発明の名称】電子機器制御システム、及び車載電子機器制御システム
【手続補正２】
【補正対象書類名】明細書
【補正対象項目名】特許請求の範囲
【補正方法】変更
【補正の内容】
【特許請求の範囲】
【請求項１】  車載電子機器と、
指で触れることにより各種指示情報が入力される入力手段と、
該入力手段から入力された指示情報に基づいて、前記車載電子機器を制御する
制御手段とを備えた電子機器制御システムにおいて、
前記入力手段に装備された指紋を検出する第１の指紋検出手段と、
該第１の指紋検出手段により検出された指紋を情報処理可能な指紋情報に変換
する第１の変換手段と、
ドライバーの指紋情報を格納する格納手段と、
前記第１の変換手段で変換された指紋情報と前記格納手段に格納された指紋情
報とを比較する比較手段と、
該比較手段での比較結果に基づいて、前記制御手段による電子機器の制御を行
わせるか否かの判断を行う判断手段とを備えていることを特徴とする電子機器制
御システム。
【請求項２】  前記判断手段が、前記比較結果が一致した場合に、前記制御
手段による電子機器の制御を行わせないようにするものであることを特徴とする
請求項１記載の電子機器制御システム。
【請求項３】  車両の停止情報を取得する停止情報取得手段を備え、
前記判断手段が、車両が停止しておらず、なおかつ前記比較結果が一致した場
合に、前記制御手段による電子機器の制御を行わせないようにするものであるこ
とを特徴とする請求項１記載の電子機器制御システム。
【請求項４】  車載電子機器と、
指で触れることにより各種指示情報が入力される入力手段と、
該入力手段から入力された指示情報に基づいて、前記車載電子機器を制御する
制御手段とを備えた電子機器制御システムにおいて、
前記入力手段に装備された指紋を検出する第１の指紋検出手段と、
該第１の指紋検出手段により検出された指紋を情報処理可能な指紋情報に変換
する第１の変換手段と、
ドライバーの指紋情報を格納する格納手段と、
前記第１の変換手段で変換された指紋情報と前記格納手段に格納された指紋情
報とを比較する比較手段と、
該比較手段での比較結果に基づいて、前記入力手段からの指示情報を前記制御
手段へ取り込ませるか否かの切り替えを行う切替手段とを備えていることを特徴
とする電子機器制御システム。
【請求項５】  前記切替手段が、前記比較結果が一致した場合に、前記指示
情報を前記制御手段へ取り込ませないように切り替えを行うものであることを特
徴とする請求項４記載の電子機器制御システム。
【請求項６】  車両の停止情報を取得する停止情報取得手段を備え、
前記切替手段が、車両が停止しておらず、なおかつ前記比較結果が一致した場
合に、前記指示情報を前記制御手段へ取り込ませないように切り替えを行うもの
であることを特徴とする請求項４記載の電子機器制御システム。
【請求項７】  ハンドルに装備された指紋を検出する第２の指紋検出手段と
、
該第２の指紋検出手段により検出された指紋を情報処理可能な指紋情報に変換
する第２の変換手段と、
該第２の変換手段で変換された指紋情報を前記格納手段へ格納させる制御を行
う格納制御手段とを備えていることを特徴とする請求項１〜６のいずれかの項に
記載の電子機器制御システム。
【請求項８】 指の情報を格納する格納手段と、
ハンドルに装備された検出手段により検出された指の情報を前記格納手段へ格
納させる格納制御手段とを備えていることを特徴とする電子機器制御システム。
【請求項９】 指で触れることにより各種指示情報が入力される入力手段と
、該入力手段から入力された指示情報に基づいて、車載電子機器を制御する制御
手段とを備えた車載電子機器制御システムにおいて、
前記入力手段に装備され、該入力手段に触れられた指の情報を検出する検出手
段と、
該検出手段により検出された指の情報に基づいて、前記指示情報に基づく制御
を許可するか否かを判断する判断手段とを備えていることを特徴とする車載電子
機器制御システム。
【手続補正３】
【補正対象書類名】明細書
【補正対象項目名】０００７
【補正方法】変更
【補正の内容】
【０００７】
【課題を解決するための手段及びその効果】
上記目的を達成するために本発明に係る電子機器制御システム（１）は、車載
電子機器と、指で触れることにより各種指示情報が入力される入力手段と、該入
力手段から入力された指示情報に基づいて、前記車載電子機器を制御する制御手
段とを備えた電子機器制御システムにおいて、前記入力手段に装備された指紋を
検出する第１の指紋検出手段と、該第１の指紋検出手段により検出された指紋を
情報処理可能な指紋情報に変換する第１の変換手段と、ドライバーの指紋情報を
格納する格納手段と、前記第１の変換手段で変換された指紋情報と前記格納手段
に格納された指紋情報とを比較する比較手段と、該比較手段での比較結果に基づ
いて、前記制御手段による電子機器の制御を行わせるか否かの判断を行う判断手
段とを備えていることを特徴としている。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
上記電子機器制御システム（１）において、前記比較結果が一致した場合、す
なわち操作者がドライバーである場合に、前記制御手段による電子機器の制御が
許可されるようにする。例えば、タクシーやバス等で、乗客に勝手に操作されて
は困る電子機器の制御に、このシステムは大変有効となる。
【手続補正６】
【補正対象書類名】明細書
【補正対象項目名】００１９
【補正方法】変更
【補正の内容】
【００１９】
また、本発明に係る電子機器制御システム（４）は、車載電子機器と、指で触
れることにより各種指示情報が入力される入力手段と、該入力手段から入力され
た指示情報に基づいて、前記車載電子機器を制御する制御手段とを備えた電子機
器制御システムにおいて、前記入力手段に装備された指紋を検出する第１の指紋
検出手段と、該第１の指紋検出手段により検出された指紋を情報処理可能な指紋
情報に変換する第１の変換手段と、ドライバーの指紋情報を格納する格納手段と
、前記第１の変換手段で変換された指紋情報と前記格納手段に格納された指紋情
報とを比較する比較手段と、該比較手段での比較結果に基づいて、前記入力手段
からの指示情報を前記制御手段へ取り込ませるか否かの切り替えを行う切替手段
とを備えていることを特徴としている。
【手続補正７】
【補正対象書類名】明細書
【補正対象項目名】００２０
【補正方法】変更
【補正の内容】
【００２０】
上記電子機器制御システム（４）によれば、前記入力手段に指紋を検出する前
記第１の指紋検出手段が装備されており、人がナビゲーション等の電子機器を操
作するために前記入力手段に触れると指紋が検出され、その指紋が前記格納手段
に格納されたドライバーの指紋と比較され、その比較結果に基づいて、前記入力
手段からの指示情報を前記制御手段へ取り込ませるか否かの切り替えが行われる
。
【手続補正８】
【補正対象書類名】明細書
【補正対象項目名】００２３
【補正方法】変更
【補正の内容】
【００２３】
また、本発明に係る電子機器制御システム（５）は、上記電子機器制御システ
ム（４）において、前記切替手段が、前記比較結果が一致した場合に、前記指示
情報を前記制御手段へ取り込ませないように切り替えを行うものであることを特
徴としている。
【手続補正９】
【補正対象書類名】明細書
【補正対象項目名】００２４
【補正方法】変更
【補正の内容】
【００２４】
上記電子機器制御システム（５）によれば、前記比較結果が一致した場合、す
なわち操作者がドライバーである場合には、前記指示情報を前記制御手段へ取り
込ませないようにし、前記制御手段による電子機器の制御が行われないようにす
ることによって、ドライバーにこれら電子機器を操作させないようにすることが
できるので、車の運転の安全性を確保することができる。
【手続補正１０】
【補正対象書類名】明細書
【補正対象項目名】００２５
【補正方法】変更
【補正の内容】
【００２５】
また、本発明に係る電子機器制御システム（６）は、上記電子機器制御システ
ム（４）において、車両の停止情報を取得する停止情報取得手段を備え、前記切
替手段が、車両が停止しておらず、なおかつ前記比較結果が一致した場合に、前
記指示情報を前記制御手段へ取り込ませないように切り替えを行うものであるこ
とを特徴としている。
【手続補正１１】
【補正対象書類名】明細書
【補正対象項目名】００２６
【補正方法】変更
【補正の内容】
【００２６】
上記電子機器制御システム（６）によれば、車両が停止しておらず、なおかつ
前記比較結果が一致した場合、すなわち運転中のドライバーが電子機器を操作す
る場合には、前記指示情報を前記制御手段へ取り込ませないようにし、前記制御
手段による電子機器の制御が行われないようにすることによって、運転中のドラ
イバーにこれら電子機器を操作させないようにすることができるので、車の運転
の安全性を確保することができる。
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】変更
【補正の内容】
【００２９】
上記電子機器制御システム（４）において、前記比較結果が一致した場合、す
なわち操作者がドライバーである場合に、前記指示情報を前記制御手段へ取り込
ませるようにし、前記制御手段による電子機器の制御が行われるようにする。例
えば、タクシーやバス等で、乗客に勝手に操作されては困る電子機器の制御に、
このシステムは大変有効となる。
【手続補正１４】
【補正対象書類名】明細書
【補正対象項目名】００３１
【補正方法】変更
【補正の内容】
【００３１】
また、本発明に係る電子機器制御システム（７）は、上記電子機器制御システ
ム（１）〜（６）のいずれかにおいて、ハンドルに装備された指紋を検出する第
２の指紋検出手段と、該第２の指紋検出手段により検出された指紋を情報処理可
能な指紋情報に変換する第２の変換手段と、該第２の変換手段で変換された指紋
情報を前記格納手段へ格納させる制御を行う格納制御手段とを備えていることを
特徴としている。
【手続補正１５】
【補正対象書類名】明細書
【補正対象項目名】００３２
【補正方法】変更
【補正の内容】
【００３２】
上記電子機器制御システム（７）によれば、ハンドルに装備された前記第２の
指紋検出手段により、ハンドルを握っている人（すなわち、ドライバー）の指紋
を検出することによって、前記格納手段へドライバーの指紋を格納することがで
きる。